(57)【要約】      （修正有）【課題】伝統的なテーブルマットは異なる摩擦係数のマットを使用する時マットを付け替えることしかできなく非常に不便であり、反応が早く、操作自由度が高く、適用な場合が幅広い、水晶切断マットを提供する。【解決手段】本発明の水晶切断マットは、本体１４を含み、本体１４の中には上に開口した回転チャンバ１８が設置され、本体１４の頂面には滑らか水晶面１１が固定的に設置され、滑らか水晶面１１の中には上下に貫通した第一スライド溝１２と、第一スライド溝１２の右側に位置した抜き穴２０とが設置され、第一スライド溝１２の中にはＴ型ボタン１３がスライドできるように設置され、Ｔ型ボタン１３と滑らか水晶面１１の頂面との間には第一撥条１０が連結され、回転チャンバ１８には内方に開口した第二スライド溝１６が左右に対称的に設置され、本体１４の左側の第二スライド溝１６の左端には表面切替機構９０を備える。【選択図】図１
2020179494.tif 000002
【特許請求の範囲】
【請求項１】
正面視で、本体を含み、前記本体の中には上に開口した回転チャンバが設置され、前記本体の頂面には滑らか水晶面が固定的に設置され、前記滑らか水晶面の中には上下に貫通した第一スライド溝と、前記第一スライド溝の右側に位置した抜き穴とが設置され、前記第一スライド溝の中にはＴ型ボタンがスライドできるように設置され、前記Ｔ型ボタンと前記滑らか水晶面の頂面との間には第一撥条が連結され、前記回転チャンバには内方に開口した第二スライド溝が左右に対称的に設置され、前記本体の左側の前記第二スライド溝の左端には表面切替機構が設置され、前記本体の右側の前記第二スライド溝の右端には摩擦係数変換機構が設置され、前記第二スライド溝の中にはスライド板がスライドできるように設置され、前記スライド板と前記第二スライド溝の頂面との間には第二撥条が連結され、二つの前記スライド板の間には切替軸が回転できるように設置され、前記切替軸の外表面には第三撥条によって弓形ブロックが上下に対称的に連結され、前記切替軸の上側に位置した前記弓形ブロックの頂面には前記抜き穴の中に伸びれる第一滑らかブロックが固定的に設置され、前記弓形ブロックの下側に位置した前記弓形ブロックの底面には前記抜き穴の中に伸びれる第二滑らかブロックが固定的に設置され、前記第二滑らかブロックの底面には第一荒い面が固定的に設置され、前記第一荒い面の中には上下に貫通したスライドチャンバが設置され、前記スライドチャンバの中には第一スライダがスライドできるように設置され、前記第一スライダの底面には第二荒い面が固定的に設置され、、前記第二荒い面の摩擦係数が前記第一荒い面より大きく、前記第一スライダの中には内ネジ山が設置され、前記切替軸の中には空チャンバが設置され、前記空チャンバの中には左右に伸びた回転軸が回転できるように設置され、前記空チャンバと前記スライドチャンバとの間には前記内ネジ山と噛合したネジボルトが回転できるように設置され、前記空チャンバの中の前記ネジボルトの末端には第一傘歯車が固定的に設置され、前記回転軸には前記第一傘歯車と噛合した第二傘歯車が固定的に設置されて、
前記Ｔ型ボタンが前記弓形ブロックを押して前記第一滑らかブロックを前記抜き穴の中から離脱させ、即ち前記切替軸が回転して前記第二滑らかブロックを前記抜き穴の中に百八十度回転させ、同時に前記回転軸が前記第二傘歯車と前記第一傘歯車を回転連動させ、前記ネジボルトが回転して前記第一スライダを上下にスライド連動させて第二滑らかブロックの端面の摩擦係数を変えることを特徴とする水晶切断マット。
【請求項２】
前記本体の左側に位置した前記スライド板には左に開口した第三スライド溝が設置され、前記第三スライド溝の中には第一スプライン軸がスライドできるように設置され、前記第一スプライン軸と前記切替軸の左端面との間には第四撥条が連結され、前記本体の左側に位置した前記第二スライド溝の左端壁には前記第一スプライン軸と噛合した第一スプラインスリーブが回転できるように設置され、前記第一スプラインスリーブの左端には第一ノブが固定的に設置され、前記第一ノブの中には第四スライド溝が左右に貫通して設置され、前記第四スライド溝の中には前記第一スプラインスリーブの中に伸びたボタンがスライドできるように設置され、前記第四スライド溝の頂壁には第五スライド溝が連通して設置され、前記第五スライド溝の中には前記ボタンと固定された第二スライダがスライドできるように設置され、前記第二スライダと前記第五スライド溝の右端壁との間には第五撥条が連結され、
前記第一スプライン軸と前記第一スプラインスリーブとが噛合した後、前記第一ノブを回して前記第一スプライン軸を回転連動させ、前記第一スプライン軸が前記切替軸を回転連動させて前記滑らか水晶面の表面を滑らか又はざらざらのように切り替え、前記ボタンを押した後、前記ボタンが前記第一スプライン軸をプレスして前記第一スプライン軸と前記第一スプラインスリーブとを噛合状態から離脱させ、前記本体の左側に位置した前記スライド板が元に戻ることを特徴とする請求項１に記載の水晶切断マット。
【請求項３】
前記本体の右側に位置した前記スライド板に右に開口した第六スライド溝が含まれ、前記第六スライド溝の中には前記回転軸と噛合した第二スプラインスリーブがスライドできるように設置され、前記第二スプラインスリーブと前記切り替え軸の右端面との間には第六撥条が連結され、前記本体の右側に位置した前記第二スライド溝の右端壁には前記第二スプラインスリーブと噛合した第三スプラインスリーブが回転できるように設置され、前記第三スプラインスリーブの中には第二スプライン軸がスライドできるように設置され、前記第二スプライン軸の右端には第二ノブが固定的に設置され、前記第二ノブと前記第三スプラインスリーブの右端面との間には第七撥条が連結され、
前記第二スプラインスリーブと前記第三スプラインスリーブとが噛合した後、前記第二ノブを回して前記第二スプラインスリーブを回転連動させ、前記第二スプラインスリーブが前記回転軸を回転連動させ、前記回転軸が回転して前記第一スライダを上下にスライドさせて前記第二滑らかブロックの端面の摩擦係数を変え、前記第二ノブを押した後、前記第二スプライン軸が前記第二スプラインスリーブをプレスして前記第二スプラインスリーブと前記第三スプラインスリーブとが噛合状態から離脱させ、前記本体の右側に位置した前記スライド板がもとに戻ることを特徴とする請求項１に記載の水晶切断マット。
【発明の詳細な説明】
【技術分野】
【０００１】
本発明は切断マットの分野を取り上げて、具体的には水晶切断マットである。
【背景技術】
【０００２】
伝統的なテーブルマットは機能が単一で、材料が簡単で、滑らかとざらざらの二種のマットが需要であり、又は異なる摩擦係数のマットを使用する時、直接にマットを付け替えることしかできなく、幾つかのマットを買って手芸などの作業の需要を満足し、非常に不便であり、そのため、水晶切断マットを設計して上記の問題を解決する必要がある。
【先行技術文献】
【特許文献】
【０００３】
【特許文献１】中国特許出願公開第１０７７３５５８６号明細書
【発明の概要】
【発明が解決しようとする課題】
【０００４】
本発明の解決する技術問題は水晶切断マットを提供し、それが上記現有の技術の問題を解決できる。
【課題を解決するための手段】
【０００５】
本発明の水晶切断マットは、本体を含み、前記本体の中には上に開口した回転チャンバが設置され、前記本体の頂面には滑らか水晶面が固定的に設置され、前記滑らか水晶面の中には上下に貫通した第一スライド溝と、前記第一スライド溝の右側に位置した抜き穴とが設置され、前記第一スライド溝の中にはＴ型ボタンがスライドできるように設置され、前記Ｔ型ボタンと前記滑らか水晶面の頂面との間には第一撥条が連結され、前記回転チャンバには内方に開口した第二スライド溝が左右に対称的に設置され、前記本体の左側の前記第二スライド溝の左端には表面切替機構が設置され、前記本体の右側の前記第二スライド溝の右端には摩擦係数変換機構が設置され、前記第二スライド溝の中にはスライド板がスライドできるように設置され、前記スライド板と前記第二スライド溝の頂面との間には第二撥条が連結され、二つの前記スライド板の間には切替軸が回転できるように設置され、前記切替軸の外表面には第三撥条によって弓形ブロックが上下に対称的に連結され、前記切替軸の上側に位置した前記弓形ブロックの頂面には前記抜き穴の中に伸びれる第一滑らかブロックが固定的に設置され、前記弓形ブロックの下側に位置した前記弓形ブロックの底面には前記抜き穴の中に伸びれる第二滑らかブロックが固定的に設置され、前記第二滑らかブロックの底面には第一荒い面が固定的に設置され、前記第一荒い面の中には上下に貫通したスライドチャンバが設置され、前記スライドチャンバの中には第一スライダがスライドできるように設置され、前記第一スライダの底面には第二荒い面が固定的に設置され、、前記第二荒い面の摩擦係数が前記第一荒い面より大きく、前記第一スライダの中には内ネジ山が設置され、前記切替軸の中には空チャンバが設置され、前記空チャンバの中には左右に伸びた回転軸が回転できるように設置され、前記空チャンバと前記スライドチャンバとの間には前記内ネジ山と噛合したネジボルトが回転できるように設置され、前記空チャンバの中の前記ネジボルトの末端には第一傘歯車が固定的に設置され、前記回転軸には前記第一傘歯車と噛合した第二傘歯車が固定的に設置されて、
前記Ｔ型ボタンが前記弓形ブロックを押して前記第一滑らかブロックを前記抜き穴の中から離脱させ、即ち前記切替軸が回転して前記第二滑らかブロックを前記抜き穴の中に百八十度回転させ、同時に前記回転軸が前記第二傘歯車と前記第一傘歯車を回転連動させ、前記ネジボルトが回転して前記第一スライダを上下にスライド連動させて第二滑らかブロックの端面の摩擦係数を変える。
【０００６】
優選の技術プランとして、前記本体の左側に位置した前記スライド板には左に開口した第三スライド溝が設置され、前記第三スライド溝の中には第一スプライン軸がスライドできるように設置され、前記第一スプライン軸と前記切替軸の左端面との間には第四撥条が連結され、前記本体の左側に位置した前記第二スライド溝の左端壁には前記第一スプライン軸と噛合した第一スプラインスリーブが回転できるように設置され、前記第一スプラインスリーブの左端には第一ノブが固定的に設置され、前記第一ノブの中には第四スライド溝が左右に貫通して設置され、前記第四スライド溝の中には前記第一スプラインスリーブの中に伸びたボタンがスライドできるように設置され、前記第四スライド溝の頂壁には第五スライド溝が連通して設置され、前記第五スライド溝の中には前記ボタンと固定された第二スライダがスライドできるように設置され、前記第二スライダと前記第五スライド溝の右端壁との間には第五撥条が連結され、
前記第一スプライン軸と前記第一スプラインスリーブとが噛合した後、前記第一ノブを回して前記第一スプライン軸を回転連動させ、前記第一スプライン軸が前記切替軸を回転連動させて前記滑らか水晶面の表面を滑らか又はざらざらのように切り替え、前記ボタンを押した後、前記ボタンが前記第一スプライン軸をプレスして前記第一スプライン軸と前記第一スプラインスリーブとを噛合状態から離脱させ、前記本体の左側に位置した前記スライド板が元に戻る。
【０００７】
優選の技術プランとして、前記本体の右側に位置した前記スライド板に右に開口した第六スライド溝が含まれ、前記第六スライド溝の中には前記回転軸と噛合した第二スプラインスリーブがスライドできるように設置され、前記第二スプラインスリーブと前記切り替え軸の右端面との間には第六撥条が連結され、前記本体の右側に位置した前記第二スライド溝の右端壁には前記第二スプラインスリーブと噛合した第三スプラインスリーブが回転できるように設置され、前記第三スプラインスリーブの中には第二スプライン軸がスライドできるように設置され、前記第二スプライン軸の右端には第二ノブが固定的に設置され、前記第二ノブと前記第三スプラインスリーブの右端面との間には第七撥条が連結され、
前記第二スプラインスリーブと前記第三スプラインスリーブとが噛合した後、前記第二ノブを回して前記第二スプラインスリーブを回転連動させ、前記第二スプラインスリーブが前記回転軸を回転連動させ、前記回転軸が回転して前記第一スライダを上下にスライドさせて前記第二滑らかブロックの端面の摩擦係数を変え、前記第二ノブを押した後、前記第二スプライン軸が前記第二スプラインスリーブをプレスして前記第二スプラインスリーブと前記第三スプラインスリーブとが噛合状態から離脱させ、前記本体の右側に位置した前記スライド板がもとに戻る。
【発明の効果】
【０００８】
以上により、本発明の水晶切断マットは、反応が早く、操作自由度が高い。同時に、本発明の装置は、モーターが必要でなく、生産コストが低く、適用な場合が幅広い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１本発明の水晶切断マットの全体構造模式図
【図２】図２は図１のＡーＡの構造模式図
【図３】図３は図１のＢの拡大構造模式図
【図４】図４は図１のＣの拡大構造模式図
【図５】図５は図１のＤの拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜５に示されたように、本発明の水晶切断マットは、本体１４を含み、前記本体１４の中には上に開口した回転チャンバ１８が設置され、前記本体１４の頂面には滑らか水晶面１１が固定的に設置され、前記滑らか水晶面１１の中には上下に貫通した第一スライド溝１２と、前記第一スライド溝１２の右側に位置した抜き穴２０とが設置され、前記第一スライド溝１２の中にはＴ型ボタン１３がスライドできるように設置され、前記Ｔ型ボタン１３と前記滑らか水晶面１１の頂面との間には第一撥条１０が連結され、前記回転チャンバ１８には内方に開口した第二スライド溝１６が左右に対称的に設置され、前記本体１４の左側の前記第二スライド溝１６の左端には表面切替機構９０が設置され、前記本体１４の右側の前記第二スライド溝１６の右端には摩擦係数変換機構９１が設置され、前記第二スライド溝１６の中にはスライド板１５がスライドできるように設置され、前記スライド板１５と前記第二スライド溝１６の頂面との間には第二撥条１７が連結され、二つの前記スライド板１５の間には切替軸２１が回転できるように設置され、前記切替軸２１の外表面には第三撥条３１によって弓形ブロック２３が上下に対称的に連結され、前記切替軸２１の上側に位置した前記弓形ブロック２３の頂面には前記抜き穴２０の中に伸びれる第一滑らかブロック１９が固定的に設置され、前記弓形ブロック２３の下側に位置した前記弓形ブロック２３の底面には前記抜き穴２０の中に伸びれる第二滑らかブロック２６が固定的に設置され、前記第二滑らかブロック２６の底面には第一荒い面２９が固定的に設置され、前記第一荒い面２９の中には上下に貫通したスライドチャンバ２５が設置され、前記スライドチャンバ２５の中には第一スライダ２７がスライドできるように設置され、前記第一スライダ２７の底面には第二荒い面２８が固定的に設置され、、前記第二荒い面２８の摩擦係数が前記第一荒い面２９より大きく、前記第一スライダ２７の中には内ネジ山２４が設置され、前記切替軸２１の中には空チャンバ３０が設置され、前記空チャンバ３０の中には左右に伸びた回転軸３４が回転できるように設置され、前記空チャンバ３０と前記スライドチャンバ２５との間には前記内ネジ山２４と噛合したネジボルト２２が回転できるように設置され、前記空チャンバ３０の中の前記ネジボルト２２の末端には第一傘歯車３２が固定的に設置され、前記回転軸３４には前記第一傘歯車３２と噛合した第二傘歯車３３が固定的に設置されて、
前記Ｔ型ボタン１３が前記弓形ブロック２３を押して前記第一滑らかブロック１９を前記抜き穴２０の中から離脱させ、即ち前記切替軸２１が回転して前記第二滑らかブロック２６を前記抜き穴２０の中に百八十度回転させ、同時に前記回転軸３４が前記第二傘歯車３３と前記第一傘歯車３２を回転連動させ、前記ネジボルト２２が回転して前記第一スライダ２７を上下にスライド連動させて第二滑らかブロック２６の端面の摩擦係数を変える。
【００１３】
有益なように、前記本体１４の左側に位置した前記スライド板１５には左に開口した第三スライド溝４３が設置され、前記第三スライド溝４３の中には第一スプライン軸４１がスライドできるように設置され、前記第一スプライン軸４１と前記切替軸２１の左端面との間には第四撥条４２が連結され、前記本体１４の左側に位置した前記第二スライド溝１６の左端壁には前記第一スプライン軸４１と噛合した第一スプラインスリーブ４０が回転できるように設置され、前記第一スプラインスリーブ４０の左端には第一ノブ３５が固定的に設置され、前記第一ノブ３５の中には第四スライド溝３８が左右に貫通して設置され、前記第四スライド溝３８の中には前記第一スプラインスリーブ４０の中に伸びたボタン３９がスライドできるように設置され、前記第四スライド溝３８の頂壁には第五スライド溝５２が連通して設置され、前記第五スライド溝５２の中には前記ボタン３９と固定された第二スライダ３６がスライドできるように設置され、前記第二スライダ３６と前記第五スライド溝５２の右端壁との間には第五撥条３７が連結され、
前記第一スプライン軸４１と前記第一スプラインスリーブ４０とが噛合した後、前記第一ノブ３５を回して前記第一スプライン軸４１を回転連動させ、前記第一スプライン軸４１が前記切替軸２１を回転連動させて前記滑らか水晶面１１の表面を滑らか又はざらざらのように切り替え、前記ボタン３９を押した後、前記ボタン３９が前記第一スプライン軸４１をプレスして前記第一スプライン軸４１と前記第一スプラインスリーブ４０とを噛合状態から離脱させ、前記本体１４の左側に位置した前記スライド板１５が元に戻る。
【００１４】
有益なように、前記本体１４の右側に位置した前記スライド板１５に右に開口した第六スライド溝４７が含まれ、前記第六スライド溝４７の中には前記回転軸３４と噛合した第二スプラインスリーブ４６がスライドできるように設置され、前記第二スプラインスリーブ４６と前記切り替え軸２１の右端面との間には第六撥条４５が連結され、前記本体１４の右側に位置した前記第二スライド溝１６の右端壁には前記第二スプラインスリーブ４６と噛合した第三スプラインスリーブ４８が回転できるように設置され、前記第三スプラインスリーブ４８の中には第二スプライン軸４９がスライドできるように設置され、前記第二スプライン軸４９の右端には第二ノブ５１が固定的に設置され、前記第二ノブ５１と前記第三スプラインスリーブ４８の右端面との間には第七撥条５０が連結され、
前記第二スプラインスリーブ４６と前記第三スプラインスリーブ４８とが噛合した後、前記第二ノブ５１を回して前記第二スプラインスリーブ４６を回転連動させ、前記第二スプラインスリーブ４６が前記回転軸３４を回転連動させ、前記回転軸３４が回転して前記第一スライダ２７を上下にスライドさせて前記第二滑らかブロック２６の端面の摩擦係数を変え、前記第二ノブ５１を押した後、前記第二スプライン軸４９が前記第二スプラインスリーブ４６をプレスして前記第二スプラインスリーブ４６と前記第三スプラインスリーブ４８とが噛合状態から離脱させ、前記本体１４の右側に位置した前記スライド板１５がもとに戻る。
【００１５】
以下、付図１〜５及び上記の本願発明の水晶切断マットの具体的な構造を参考してその使い方を詳しく説明する：
【００１６】
マットの平面を摩擦力のあるざらざらな平面に変える時、前記Ｔ型ボタン１３を押し、前記Ｔ型ボタン１３が前記弓形ブロック２３をプレスして前記第一滑らかブロック１９を前記抜き穴２０の中から離脱させ、同時に前記スライド板１５が下にスライドし、前記第一スプライン軸４１が前記第四撥条４２の推力によって前記第一スプラインスリーブ４０と噛合し、前記第二スプラインスリーブ４６が前記第六撥条４５の推力によって前記第三スプラインスリーブ４８と噛合し、この時前記第一ノブ３５を回し、前記第一ノブ３５が前記切替軸２１を回転連動させて前記第二滑らかブロック２６を前記抜き穴２０の下方に百八十度回転させ、前記第一荒い面２９が前記滑らか水晶面１１の表面に位置し、マットを摩擦力のある荒い面にかえ、滑らか面と荒い面とが切り替えられ、適用な場合が幅広い。
【００１７】
表面の粗さを変える時、前記第二ノブ５１を回し、前記第二ノブ５１が前記第三スプラインスリーブ４８を回転連動させ、前記第三スプラインスリーブ４８が前記第二スプラインスリーブ４６と前記回転軸３４とを回転連動させ、前記回転軸３４が前記第二傘歯車３３と前記第一傘歯車３２とを回転連動させ、前記ネジボルト２２が回転して前記第一スライダ２７をスライド連動させ、即ち前記第二荒い面２８が前記滑らか水晶面１１の表面にスライドして前記第二滑らかスライダ２６の端面の摩擦係数を変え、反応が早く、操作自由度が高い。
【００１８】
切り替えが完了した後、前記ボタン３９と前記第二ノブ５１を同時に押し、前記第一スプライン軸４１が前記第三スライド溝４３の中に入り、前記第二スプラインスリーブ４６が前記第六スライド溝４７の中には納まり、この時前記スライド板１５が前記第二撥条１７の引っ張り力によって上にスライドしてもとに戻り、即ち水晶面１１の表面が摩擦係数の異なった摩擦表面になる。
【００１９】
以上により、本発明の水晶切断マットは、反応が早く、操作自由度が高い。同時に、本発明の装置は、モーターが必要でなく、生産コストが低く、適用な場合が幅広い。
【００２０】
以上により、発明の具体実施方式だけであり、ところが、発明の保護範囲はこれには限らない、創造性労働のない考えた変化や入替えは、発明の保護範囲の中に含むべきである。
【図１】
2020179494.tif 000003
【図２】
2020179494.tif 000004
【図３】
2020179494.tif 000005
【図４】
2020179494.tif 000006
【図５】
2020179494.tif 000007
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には上に開口した回転チャンバが設置され、前記本体の頂面には滑らか水晶面が固定的に設置され、前記滑らか水晶面の中には上下に貫通した第一スライド溝と、前記第一スライド溝の右側に位置した抜き穴とが設置され、前記第一スライド溝の中にはＴ型ボタンがスライドできるように設置され、前記Ｔ型ボタンと前記滑らか水晶面の頂面との間には第一撥条が連結され、前記回転チャンバには内方に開口した第二スライド溝が左右に対称的に設置され、前記本体の左側の前記第二スライド溝の左端には表面切替機構が設置され、前記本体の右側の前記第二スライド溝の右端には摩擦係数変換機構が設置され、前記第二スライド溝の中にはスライド板がスライドできるように設置され、前記スライド板と前記第二スライド溝の頂面との間には第二撥条が連結され、二つの前記スライド板の間には切替軸が回転できるように設置され、前記切替軸の外表面には第三撥条によって弓形ブロックが上下に対称的に連結され、前記切替軸の上側に位置した前記弓形ブロックの頂面には前記抜き穴の中に伸びれる第一滑らかブロックが固定的に設置され、前記弓形ブロックの下側に位置した前記弓形ブロックの底面には前記抜き穴の中に伸びれる第二滑らかブロックが固定的に設置され、前記第二滑らかブロックの底面には第一荒い面が固定的に設置され、前記第一荒い面の中には上下に貫通したスライドチャンバが設置され、前記スライドチャンバの中には第一スライダがスライドできるように設置され、前記第一スライダの底面には第二荒い面が固定的に設置され、、前記第二荒い面の摩擦係数が前記第一荒い面より大きく、前記第一スライダの中には内ネジ山が設置され、前記切替軸の中には空チャンバが設置され、前記空チャンバの中には左右に伸びた回転軸が回転できるように設置され、前記空チャンバと前記スライドチャンバとの間には前記内ネジ山と噛合したネジボルトが回転できるように設置され、前記空チャンバの中の前記ネジボルトの末端には第一傘歯車が固定的に設置され、前記回転軸には前記第一傘歯車と噛合した第二傘歯車が固定的に設置されて、
手動で前記Ｔ型ボタンを押し、前記Ｔ型ボタンが前記弓形ブロックを押して前記第一滑らかブロックを前記抜き穴の中から離脱させ、即ち前記切替軸が回転して前記第二滑らかブロックを前記抜き穴の中に百八十度回転させ、同時に前記回転軸が前記第二傘歯車と前記第一傘歯車を回転連動させ、前記ネジボルトが回転して前記第一スライダを上下にスライド連動させて第二滑らかブロックの端面の摩擦係数を変え、
前記本体の左側に位置した前記スライド板には左に開口した第三スライド溝が設置され、前記第三スライド溝の中には第一スプライン軸がスライドできるように設置され、前記第一スプライン軸と前記切替軸の左端面との間には第四撥条が連結され、前記本体の左側に位置した前記第二スライド溝の左端壁には前記第一スプライン軸と噛合した第一スプラインスリーブが回転できるように設置され、前記第一スプラインスリーブの左端には第一ノブが固定的に設置され、前記第一ノブの中には第四スライド溝が左右に貫通して設置され、前記第四スライド溝の中には前記第一スプラインスリーブの中に伸びたボタンがスライドできるように設置され、前記第四スライド溝の頂壁には第五スライド溝が連通して設置され、前記第五スライド溝の中には前記ボタンと固定された第二スライダがスライドできるように設置され、前記第二スライダと前記第五スライド溝の右端壁との間には第五撥条が連結され、
前記第一スプライン軸と前記第一スプラインスリーブとが噛合した後、前記第一ノブを回して前記第一スプライン軸を回転連動させ、前記第一スプライン軸が前記切替軸を回転連動させて前記滑らか水晶面の表面を滑らか又はざらざらのように切り替え、前記ボタンを押した後、前記ボタンが前記第一スプライン軸をプレスして前記第一スプライン軸と前記第一スプラインスリーブとを噛合状態から離脱させ、前記本体の左側に位置した前記スライド板が元に戻り、
前記本体の右側に位置した前記スライド板に右に開口した第六スライド溝が含まれ、前記第六スライド溝の中には前記回転軸と噛合した第二スプラインスリーブがスライドできるように設置され、前記第二スプラインスリーブと前記切り替え軸の右端面との間には第六撥条が連結され、前記本体の右側に位置した前記第二スライド溝の右端壁には前記第二スプラインスリーブと噛合した第三スプラインスリーブが回転できるように設置され、前記第三スプラインスリーブの中には第二スプライン軸がスライドできるように設置され、前記第二スプライン軸の右端には第二ノブが固定的に設置され、前記第二ノブと前記第三スプラインスリーブの右端面との間には第七撥条が連結され、
前記第二スプラインスリーブと前記第三スプラインスリーブとが噛合した後、前記第二ノブを回して前記第二スプラインスリーブを回転連動させ、前記第二スプラインスリーブが前記回転軸を回転連動させ、前記回転軸が回転して前記第一スライダを上下にスライドさせて前記第二滑らかブロックの端面の摩擦係数を変え、前記第二ノブを押した後、前記第二スプライン軸が前記第二スプラインスリーブをプレスして前記第二スプラインスリーブと前記第三スプラインスリーブとが噛合状態から離脱させ、前記本体の右側に位置した前記スライド板がもとに戻り、
マットの平面を摩擦力のあるざらざらな平面に変える時、前記Ｔ型ボタンを押し、手動で前記Ｔ型ボタンを押し、前記Ｔ型ボタンが前記弓形ブロックをプレスして前記第一滑らかブロックを前記抜き穴の中から離脱させ、同時に前記スライド板が下にスライドし、前記第一スプライン軸が前記第四撥条の推力によって前記第一スプラインスリーブと噛合し、前記第二スプラインスリーブが前記第六撥条の推力によって前記第三スプラインスリーブと噛合し、この時前記第一ノブを回し、前記第一ノブが前記切替軸を回転連動させて前記第二滑らかブロックを前記抜き穴の下方に百八十度回転させ、前記第一荒い面が前記滑らか水晶面の表面に位置し、マットを摩擦力のある荒い面にかえ、滑らか面と荒い面とが切り替えられ、適用な場合が幅広い。
表面の粗さを変える時、前記第二ノブを回し、前記第二ノブが前記第三スプラインスリーブを回転連動させ、前記第三スプラインスリーブが前記第二スプラインスリーブと前記回転軸とを回転連動させ、前記回転軸が前記第二傘歯車と前記第一傘歯車とを回転連動させ、前記ネジボルトが回転して前記第一スライダをスライド連動させ、即ち前記第二荒い面が前記滑らか水晶面の表面にスライドして前記第二滑らかスライダの端面の摩擦係数を変え、反応が早く、操作自由度が高い。
切り替えが完了した後、前記ボタンと前記第二ノブを同時に押し、前記第一スプライン軸が前記第三スライド溝の中に入り、前記第二スプラインスリーブが前記第六スライド溝の中には納まり、この時前記スライド板が前記第二撥条の引っ張り力によって上にスライドしてもとに戻り、即ち水晶面の表面が摩擦係数の異なった摩擦表面になることを特徴とする水晶切断マット。
【手続補正２】
【補正対象書類名】明細書
【補正対象項目名】全文
【補正方法】変更
【補正の内容】
【発明の詳細な説明】
【技術分野】
【０００１】
本発明は切断マットの分野を取り上げて、具体的には水晶切断マットである。
【背景技術】
【０００２】
伝統的なテーブルマットは機能が単一で、材料が簡単で、滑らかとざらざらの二種のマットが需要であり、又は異なる摩擦係数のマットを使用する時、直接にマットを付け替えることしかできなく、幾つかのマットを買って手芸などの作業の需要を満足し、非常に不便であり、そのため、水晶切断マットを設計して上記の問題を解決する必要がある。
【先行技術文献】
【特許文献】
【０００３】
【特許文献１】中国特許出願公開第１０７７３５５８６号明細書
【発明の概要】
【発明が解決しようとする課題】
【０００４】
本発明の解決する技術問題は水晶切断マットを提供し、それが上記現有の技術の問題を解決できる。
【課題を解決するための手段】
【０００５】
本発明の水晶切断マットは、本体を含み、前記本体の中には上に開口した回転チャンバが設置され、前記本体の頂面には滑らか水晶面が固定的に設置され、前記滑らか水晶面の中には上下に貫通した第一スライド溝と、前記第一スライド溝の右側に位置した抜き穴とが設置され、前記第一スライド溝の中にはＴ型ボタンがスライドできるように設置され、前記Ｔ型ボタンと前記滑らか水晶面の頂面との間には第一撥条が連結され、前記回転チャンバには内方に開口した第二スライド溝が左右に対称的に設置され、前記本体の左側の前記第二スライド溝の左端には表面切替機構が設置され、前記本体の右側の前記第二スライド溝の右端には摩擦係数変換機構が設置され、前記第二スライド溝の中にはスライド板がスライドできるように設置され、前記スライド板と前記第二スライド溝の頂面との間には第二撥条が連結され、二つの前記スライド板の間には切替軸が回転できるように設置され、前記切替軸の外表面には第三撥条によって弓形ブロックが上下に対称的に連結され、前記切替軸の上側に位置した前記弓形ブロックの頂面には前記抜き穴の中に伸びれる第一滑らかブロックが固定的に設置され、前記弓形ブロックの下側に位置した前記弓形ブロックの底面には前記抜き穴の中に伸びれる第二滑らかブロックが固定的に設置され、前記第二滑らかブロックの底面には第一荒い面が固定的に設置され、前記第一荒い面の中には上下に貫通したスライドチャンバが設置され、前記スライドチャンバの中には第一スライダがスライドできるように設置され、前記第一スライダの底面には第二荒い面が固定的に設置され、、前記第二荒い面の摩擦係数が前記第一荒い面より大きく、前記第一スライダの中には内ネジ山が設置され、前記切替軸の中には空チャンバが設置され、前記空チャンバの中には左右に伸びた回転軸が回転できるように設置され、前記空チャンバと前記スライドチャンバとの間には前記内ネジ山と噛合したネジボルトが回転できるように設置され、前記空チャンバの中の前記ネジボルトの末端には第一傘歯車が固定的に設置され、前記回転軸には前記第一傘歯車と噛合した第二傘歯車が固定的に設置されて、
手動で前記Ｔ型ボタンを押し、前記Ｔ型ボタンが前記弓形ブロックを押して前記第一滑らかブロックを前記抜き穴の中から離脱させ、即ち前記切替軸が回転して前記第二滑らかブロックを前記抜き穴の中に百八十度回転させ、同時に前記回転軸が前記第二傘歯車と前記第一傘歯車を回転連動させ、前記ネジボルトが回転して前記第一スライダを上下にスライド連動させて第二滑らかブロックの端面の摩擦係数を変える。
【０００６】
優選の技術プランとして、前記本体の左側に位置した前記スライド板には左に開口した第三スライド溝が設置され、前記第三スライド溝の中には第一スプライン軸がスライドできるように設置され、前記第一スプライン軸と前記切替軸の左端面との間には第四撥条が連結され、前記本体の左側に位置した前記第二スライド溝の左端壁には前記第一スプライン軸と噛合した第一スプラインスリーブが回転できるように設置され、前記第一スプラインスリーブの左端には第一ノブが固定的に設置され、前記第一ノブの中には第四スライド溝が左右に貫通して設置され、前記第四スライド溝の中には前記第一スプラインスリーブの中に伸びたボタンがスライドできるように設置され、前記第四スライド溝の頂壁には第五スライド溝が連通して設置され、前記第五スライド溝の中には前記ボタンと固定された第二スライダがスライドできるように設置され、前記第二スライダと前記第五スライド溝の右端壁との間には第五撥条が連結され、
前記第一スプライン軸と前記第一スプラインスリーブとが噛合した後、前記第一ノブを回して前記第一スプライン軸を回転連動させ、前記第一スプライン軸が前記切替軸を回転連動させて前記滑らか水晶面の表面を滑らか又はざらざらのように切り替え、前記ボタンを押した後、前記ボタンが前記第一スプライン軸をプレスして前記第一スプライン軸と前記第一スプラインスリーブとを噛合状態から離脱させ、前記本体の左側に位置した前記スライド板が元に戻る。
【０００７】
優選の技術プランとして、前記本体の右側に位置した前記スライド板に右に開口した第六スライド溝が含まれ、前記第六スライド溝の中には前記回転軸と噛合した第二スプラインスリーブがスライドできるように設置され、前記第二スプラインスリーブと前記切り替え軸の右端面との間には第六撥条が連結され、前記本体の右側に位置した前記第二スライド溝の右端壁には前記第二スプラインスリーブと噛合した第三スプラインスリーブが回転できるように設置され、前記第三スプラインスリーブの中には第二スプライン軸がスライドできるように設置され、前記第二スプライン軸の右端には第二ノブが固定的に設置され、前記第二ノブと前記第三スプラインスリーブの右端面との間には第七撥条が連結され、前記第二スプラインスリーブと前記第三スプラインスリーブとが噛合した後、前記第二ノブを回して前記第二スプラインスリーブを回転連動させ、前記第二スプラインスリーブが前記回転軸を回転連動させ、前記回転軸が回転して前記第一スライダを上下にスライドさせて前記第二滑らかブロックの端面の摩擦係数を変え、前記第二ノブを押した後、前記第二スプライン軸が前記第二スプラインスリーブをプレスして前記第二スプラインスリーブと前記第三スプラインスリーブとが噛合状態から離脱させ、前記本体の右側に位置した前記スライド板がもとに戻る。
【発明の効果】
【０００８】
以上により、本発明の水晶切断マットは、反応が早く、操作自由度が高い。同時に、本発明の装置は、モーターが必要でなく、生産コストが低く、適用な場合が幅広い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１本発明の水晶切断マットの全体構造模式図
【図２】図２は図１のＡーＡの構造模式図
【図３】図３は図１のＢの拡大構造模式図
【図４】図４は図１のＣの拡大構造模式図
【図５】図５は図１のＤの拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜５に示されたように、本発明の水晶切断マットは、本体１４を含み、前記本体１４の中には上に開口した回転チャンバ１８が設置され、前記本体１４の頂面には滑らか水晶面１１が固定的に設置され、前記滑らか水晶面１１の中には上下に貫通した第一スライド溝１２と、前記第一スライド溝１２の右側に位置した抜き穴２０とが設置され、前記第一スライド溝１２の中にはＴ型ボタン１３がスライドできるように設置され、前記Ｔ型ボタン１３と前記滑らか水晶面１１の頂面との間には第一撥条１０が連結され、前記回転チャンバ１８には内方に開口した第二スライド溝１６が左右に対称的に設置され、前記本体１４の左側の前記第二スライド溝１６の左端には表面切替機構９０が設置され、前記本体１４の右側の前記第二スライド溝１６の右端には摩擦係数変換機構９１が設置され、前記第二スライド溝１６の中にはスライド板１５がスライドできるように設置され、前記スライド板１５と前記第二スライド溝１６の頂面との間には第二撥条１７が連結され、二つの前記スライド板１５の間には切替軸２１が回転できるように設置され、前記切替軸２１の外表面には第三撥条３１によって弓形ブロック２３が上下に対称的に連結され、前記切替軸２１の上側に位置した前記弓形ブロック２３の頂面には前記抜き穴２０の中に伸びれる第一滑らかブロック１９が固定的に設置され、前記弓形ブロック２３の下側に位置した前記弓形ブロック２３の底面には前記抜き穴２０の中に伸びれる第二滑らかブロック２６が固定的に設置され、前記第二滑らかブロック２６の底面には第一荒い面２９が固定的に設置され、前記第一荒い面２９の中には上下に貫通したスライドチャンバ２５が設置され、前記スライドチャンバ２５の中には第一スライダ２７がスライドできるように設置され、前記第一スライダ２７の底面には第二荒い面２８が固定的に設置され、、前記第二荒い面２８の摩擦係数が前記第一荒い面２９より大きく、前記第一スライダ２７の中には内ネジ山２４が設置され、前記切替軸２１の中には空チャンバ３０が設置され、前記空チャンバ３０の中には左右に伸びた回転軸３４が回転できるように設置され、前記空チャンバ３０と前記スライドチャンバ２５との間には前記内ネジ山２４と噛合したネジボルト２２が回転できるように設置され、前記空チャンバ３０の中の前記ネジボルト２２の末端には第一傘歯車３２が固定的に設置され、前記回転軸３４には前記第一傘歯車３２と噛合した第二傘歯車３３が固定的に設置されて、
手動で前記Ｔ型ボタン１３を押し、前記Ｔ型ボタン１３が前記弓形ブロック２３を押して前記第一滑らかブロック１９を前記抜き穴２０の中から離脱させ、即ち前記切替軸２１が回転して前記第二滑らかブロック２６を前記抜き穴２０の中に百八十度回転させ、同時に前記回転軸３４が前記第二傘歯車３３と前記第一傘歯車３２を回転連動させ、前記ネジボルト２２が回転して前記第一スライダ２７を上下にスライド連動させて第二滑らかブロック２６の端面の摩擦係数を変える。
【００１３】
有益なように、前記本体１４の左側に位置した前記スライド板１５には左に開口した第三スライド溝４３が設置され、前記第三スライド溝４３の中には第一スプライン軸４１がスライドできるように設置され、前記第一スプライン軸４１と前記切替軸２１の左端面との間には第四撥条４２が連結され、前記本体１４の左側に位置した前記第二スライド溝１６の左端壁には前記第一スプライン軸４１と噛合した第一スプラインスリーブ４０が回転できるように設置され、前記第一スプラインスリーブ４０の左端には第一ノブ３５が固定的に設置され、前記第一ノブ３５の中には第四スライド溝３８が左右に貫通して設置され、前記第四スライド溝３８の中には前記第一スプラインスリーブ４０の中に伸びたボタン３９がスライドできるように設置され、前記第四スライド溝３８の頂壁には第五スライド溝５２が連通して設置され、前記第五スライド溝５２の中には前記ボタン３９と固定された第二スライダ３６がスライドできるように設置され、前記第二スライダ３６と前記第五スライド溝５２の右端壁との間には第五撥条３７が連結され、
前記第一スプライン軸４１と前記第一スプラインスリーブ４０とが噛合した後、前記第一ノブ３５を回して前記第一スプライン軸４１を回転連動させ、前記第一スプライン軸４１が前記切替軸２１を回転連動させて前記滑らか水晶面１１の表面を滑らか又はざらざらのように切り替え、前記ボタン３９を押した後、前記ボタン３９が前記第一スプライン軸４１をプレスして前記第一スプライン軸４１と前記第一スプラインスリーブ４０とを噛合状態から離脱させ、前記本体１４の左側に位置した前記スライド板１５が元に戻る。
【００１４】
有益なように、前記本体１４の右側に位置した前記スライド板１５に右に開口した第六スライド溝４７が含まれ、前記第六スライド溝４７の中には前記回転軸３４と噛合した第二スプラインスリーブ４６がスライドできるように設置され、前記第二スプラインスリーブ４６と前記切り替え軸２１の右端面との間には第六撥条４５が連結され、前記本体１４の右側に位置した前記第二スライド溝１６の右端壁には前記第二スプラインスリーブ４６と噛合した第三スプラインスリーブ４８が回転できるように設置され、前記第三スプラインスリーブ４８の中には第二スプライン軸４９がスライドできるように設置され、前記第二スプライン軸４９の右端には第二ノブ５１が固定的に設置され、前記第二ノブ５１と前記第三スプラインスリーブ４８の右端面との間には第七撥条５０が連結され、
前記第二スプラインスリーブ４６と前記第三スプラインスリーブ４８とが噛合した後、前記第二ノブ５１を回して前記第二スプラインスリーブ４６を回転連動させ、前記第二スプラインスリーブ４６が前記回転軸３４を回転連動させ、前記回転軸３４が回転して前記第一スライダ２７を上下にスライドさせて前記第二滑らかブロック２６の端面の摩擦係数を変え、前記第二ノブ５１を押した後、前記第二スプライン軸４９が前記第二スプラインスリーブ４６をプレスして前記第二スプラインスリーブ４６と前記第三スプラインスリーブ４８とが噛合状態から離脱させ、前記本体１４の右側に位置した前記スライド板１５がもとに戻る。
【００１５】
以下、付図１〜５及び上記の本願発明の水晶切断マットの具体的な構造を参考してその使い方を詳しく説明する：
【００１６】
マットの平面を摩擦力のあるざらざらな平面に変える時、前記Ｔ型ボタン１３を押し、手動で前記Ｔ型ボタン１３を押し、前記Ｔ型ボタン１３が前記弓形ブロック２３をプレスして前記第一滑らかブロック１９を前記抜き穴２０の中から離脱させ、同時に前記スライド板１５が下にスライドし、前記第一スプライン軸４１が前記第四撥条４２の推力によって前記第一スプラインスリーブ４０と噛合し、前記第二スプラインスリーブ４６が前記第六撥条４５の推力によって前記第三スプラインスリーブ４８と噛合し、この時前記第一ノブ３５を回し、前記第一ノブ３５が前記切替軸２１を回転連動させて前記第二滑らかブロック２６を前記抜き穴２０の下方に百八十度回転させ、前記第一荒い面２９が前記滑らか水晶面１１の表面に位置し、マットを摩擦力のある荒い面にかえ、滑らか面と荒い面とが切り替えられ、適用な場合が幅広い。
【００１７】
表面の粗さを変える時、前記第二ノブ５１を回し、前記第二ノブ５１が前記第三スプラインスリーブ４８を回転連動させ、前記第三スプラインスリーブ４８が前記第二スプラインスリーブ４６と前記回転軸３４とを回転連動させ、前記回転軸３４が前記第二傘歯車３３と前記第一傘歯車３２とを回転連動させ、前記ネジボルト２２が回転して前記第一スライダ２７をスライド連動させ、即ち前記第二荒い面２８が前記滑らか水晶面１１の表面にスライドして前記第二滑らかスライダ２６の端面の摩擦係数を変え、反応が早く、操作自由度が高い。
【００１８】
切り替えが完了した後、前記ボタン３９と前記第二ノブ５１を同時に押し、前記第一スプライン軸４１が前記第三スライド溝４３の中に入り、前記第二スプラインスリーブ４６が前記第六スライド溝４７の中には納まり、この時前記スライド板１５が前記第二撥条１７の引っ張り力によって上にスライドしてもとに戻り、即ち水晶面１１の表面が摩擦係数の異なった摩擦表面になる。
【００１９】
以上により、本発明の水晶切断マットは、反応が早く、操作自由度が高い。同時に、本発明の装置は、モーターが必要でなく、生産コストが低く、適用な場合が幅広い。
【００２０】
以上により、発明の具体実施方式だけであり、ところが、発明の保護範囲はこれには限らない、創造性労働のない考えた変化や入替えは、発明の保護範囲の中に含むべきである。